【手続補正書】
【提出日】令和2年10月21日(2020.10.21)
【手続補正１】
【補正対象書類名】特許請求の範囲
【補正対象項目名】全文
【補正方法】変更
【補正の内容】
【特許請求の範囲】
【請求項１】
薬物デポを送達するための送達装置であって、
空洞を備える筐体と、
前記空洞内に位置決めされ、通路を有する本体を備えるカートリッジであって、前記本体は、第１の対のレール及び第２の対のレールを備える、カートリッジと、
前記筐体及び前記カートリッジにスライド可能に配置され、薬物デポを、前記通路を通じて前記筐体の外に移動するように構成されるプランジャと、
を備える送達装置。
【請求項２】
前記第１の対のレールは、前記通路によって互いから離間される第１のレール及び第２のレールを含む、請求項１に記載の装置。
【請求項３】
前記第２の対のレールは、前記通路によって互いから離間される第１のレール及び第２のレールを含む、請求項１又は２に記載の装置。
【請求項４】
前記第１の対のレールは、前記通路を通る前記プランジャの位置合わせを維持するために、前記プランジャを妨害して再方向付けするように構成される、請求項１から３のいずれか一項に記載の装置。
【請求項５】
前記第２の対のレールは、前記通路を通る前記薬物デポの位置合わせを維持するために、前記薬物デポを妨害して再方向付けするように構成される、請求項１から４のいずれか一項に記載の装置。
【請求項６】
前記第１の対のレールの各前記レールは、
前記通路の長手方向軸と平行な第１の部分と、
前記本体の遠位端に向けて先細りにされた第２の部分と、
を備える、請求項１から５のいずれか一項に記載の装置。
【請求項７】
前記カートリッジに取り外し可能に取り付けられるカバーをさらに備える、請求項１から６のいずれか一項に記載の装置。
【請求項８】
前記カバーは、
前記第１の対のレールの間に位置決めされる第１の突起と、
前記第２の対のレールの間に位置決めされる第２の突起と、
を備える、請求項７に記載の装置。
【請求項９】
前記カバーは、前記通路の少なくとも一部にわたって位置決めされる壁を含む、請求項７又は８に記載の装置。 
【請求項１０】
前記筐体は、窓を備え、
前記カバーは、前記通路内の薬物デポが前記窓及び前記カバーを通じて視認可能となるように透過又は半透明である、請求項７から９のいずれか一項に記載の装置。
【請求項１１】
前記カバーは、前記カバーを前記カートリッジに取り付けるために、前記本体の溝内に位置決めされるタブを含む、請求項７から１０のいずれか一項に記載の装置。
【請求項１２】
前記本体は、前記カートリッジを前記筐体に結合するために、前記筐体における開口内に位置決めされるタブを含む、請求項１から１１のいずれか一項に記載の装置。
【請求項１３】
前記本体は、前記通路の上方に位置決めされる漏斗部を含み、前記漏斗部は、前記通路と連通している開口を備える、請求項１から１２のいずれか一項に記載の装置。
【請求項１４】
前記筐体は、前記通路と連通している通過路を、前記薬物デポが前記プランジャで前記通路を通って押し出され、前記通過路の端部において開口を通って前記装置を出ることができるように備える、請求項１から１３のいずれか一項に記載の装置。
【請求項１５】
前記筐体は、窓を、前記通路内の薬物デポが前記窓を通じて視認可能となるように位置決めされて備える、請求項１から１４のいずれか一項に記載の装置。
【請求項１６】
前記本体は、外面を含み、
前記第１及び第２の対のレールは、前記外面から突出する、請求項１から１５のいずれか一項に記載の装置。
【請求項１７】
前記本体は、前記第１及び第２の対のレールと反対の方向に前記本体の中に延びる凹んだ内面を含む、請求項１６に記載の装置。
【請求項１８】
請求項１から１７のいずれか一項に記載の装置と、
前記通路に位置決めされるように構成され、治療効果のある量の少なくとも１つの薬物及び生分解性ポリマーを含む、少なくとも１つの薬物デポと、
を備えるキット。
【請求項１９】
薬物デポを送達するための送達装置であって、前記装置が含むカートリッジは、
表面と、
前記表面の凹みによって少なくとも部分的に定められ、長手方向軸を有する、デポ経路と、
前記第１の方向と反対の第２の方向に前記表面から突出し、前記デポ経路によってそれの外方に離間され、プランジャを、前記デポ経路を通る前記プランジャの位置合わせを維持するために、妨害して再方向付けするように構成される、第１の対のレールと、
を備える、送達装置。
【請求項２０】
前記第１の対のレールの各前記レールは、前記デポ経路に向けて先細りにされた平らな表面を備える、請求項１９に記載の装置。
【請求項２１】
前記第２の方向に前記表面から突出し、前記デポ経路によってそれの外方に離間され、前記薬物デポを、前記デポ経路を通る前記薬物デポの位置合わせを維持するために、妨害して再方向付けするように構成される、第２の対のレールを更に備える、請求項１９又は２０に記載の装置。
【請求項２２】
前記第２の対のレールの各前記レールは、前記デポ経路の前記長手方向軸と平行な平らな表面を備える、請求項２１に記載の装置。
【請求項２３】
前記カートリッジに取り外し可能に取り付けられるカバーをさらに備える、請求項１９から２２のいずれか一項に記載の装置。
【請求項２４】
カバーは、前記デポ経路内の薬物デポが前記カバーを通じて視認可能であろうように、透過又は半透明である、請求項２３に記載の装置。
【請求項２５】
前記カバーは、前記第１の対のレールの間に突起を備える、請求項２３又は２４に記載の装置。
【請求項２６】
前記カバーは、前記デポ経路の少なくとも一部にわたる壁を備える、請求項２３から２５のいずれか一項に記載の装置。
【請求項２７】
前記薬物デポは、治療効果のある量の薬物及び生分解性ポリマーを含む、請求項２１から２６のいずれか一項に記載の装置。
【請求項２８】
薬物デポ送達システムであって、
方向付けレールを備えるカートリッジを備え、前記方向付けレールは、前記カートリッジのデポ経路を通じた位置合わせを維持するために、送達プランジャ及び薬物デポを妨害して再方向付けする、薬物デポ送達システム。
【請求項２９】
前記方向付けレールは、前記デポ経路によって互いから離間される第１のレール及び第２のレールを含む上方方向付けレールを含む、請求項２８に記載の装置。
【請求項３０】
前記上方方向付けレールは、
前記デポ経路によって定められた長手方向軸と平行に延びる第１の部分と、
前記デポ経路によって定められた前記長手方向軸に対して横断して延びる第２の先細りにされた部分と、
を含む、請求項２９に記載の装置。
【請求項３１】
前記方向付けレールは、前記デポ経路によって互いから離間される第１のレール及び第２のレールを含む下方方向付けレールを含む、請求項２８から３０のいずれか一項に記載の装置。
【請求項３２】
前記下方方向付けレールは、前記方向付けレールの全長に沿って、前記デポ経路によって定められた長手方向軸と平行に延びる、請求項３１に記載の装置。
【請求項３３】
薬物デポを前記デポ経路内に維持するのを支援するために、前記カートリッジに取り外し可能に結合されるカバーを更に備える、請求項２８から３２のいずれか一項に記載の装置。
【請求項３４】
前記カバーは、前記方向付けレール間に位置決めされる突起を備える、請求項３３に記載の装置。
【請求項３５】
前記カバーは、前記デポ経路の少なくとも一部にわたって位置決めされる壁を含む、請求項３３又は３４に記載の装置。 
【請求項３６】
前記カバーは、
前記上方方向付けレール間に位置決めされる第１の突起と、
前記下方方向付けレール間に位置決めされる第２の突起と、
を備える、請求項２８、請求項２９又は３０、請求項３１又は３２、ならびに、請求項３３から３５のいずれか一項に記載の装置。
【請求項３７】
前記カバーは、前記デポ経路内の薬物デポが前記カバーを通じて視認可能となるように、透過又は半透明である、請求項３３から３６のいずれか一項に記載の装置。
【請求項３８】
前記カバーは、前記カバーを前記カートリッジに取り付けるタブを備える、請求項３６又は３７に記載の装置。
【請求項３９】
前記カートリッジは、前記デポ経路を定める凹んだ内面を含む本体を含む、請求項２８から３８のいずれか一項に記載の装置。
【請求項４０】
方向付けレールは、前記デポ経路と反対の方向に延びる、請求項３９に記載の装置。
【請求項４１】
前記カートリッジは、前記デポ経路の上方の漏斗部を含み、前記漏斗部は、前記通路デポ経路と連通している開口を備える、請求項２８から４０のいずれか一項に記載の装置。
【請求項４２】
請求項２８から４１のいずれか一項に記載の前記装置と、
前記デポ経路に位置決めされるように構成され、治療効果のある量の少なくとも１つの薬物及び生分解性ポリマーを含む、少なくとも１つの薬物デポと、
を備えるキット。
【請求項４３】
請求項１から１８及び１９から４２のいずれか一項に記載の前記薬物デポ送達システムを作る方法であって、前記カートリッジをポリマーから製作することを含む、方法。